(57)【要約】      （修正有）【課題】ワーク外周部の研磨速度が安定し、高平坦にワークを研磨できるワークの研磨装置を提供する。【解決手段】ワークＷを研磨するため研磨布４と、研磨剤を供給するための研磨剤供給機構７と、ワークＷを保持するための研磨ヘッド２を具備し、該研磨ヘッド２は前記ワークＷの裏面をバッキングパッド５によって保持し、前記ワークＷのエッジ部を環状のテンプレート６によって保持し、研磨布４にワークＷとテンプレート６を押圧することで、ワークＷを研磨布４に摺接させ、ワークＷを研磨するワークＷの研磨装置１であって、テンプレート６は、フィラーが添加された樹脂又は織布が含まれた樹脂から成り、研磨布４を押圧する面にフィラー又は織布が露出していることにより、該押圧する面に微細な凹部を有する。【選択図】図１
2014223692.tif 000002
【特許請求の範囲】
【請求項１】
ワークを研磨するため研磨布と、研磨剤を供給するための研磨剤供給機構と、ワークを保持するための研磨ヘッドを具備し、該研磨ヘッドは前記ワークの裏面をバッキングパッドによって保持し、前記ワークのエッジ部を環状のテンプレートによって保持し、前記研磨布に前記ワークと前記テンプレートを押圧することで、前記ワークを前記研磨布に摺接させ、前記ワークを研磨するワークの研磨装置であって、
前記テンプレートは、フィラーが添加された樹脂又は織布が含まれた樹脂から成り、前記研磨布を押圧する面に前記フィラー又は前記織布が露出していることにより、該押圧する面に微細な凹部を有するものであることを特徴とするワークの研磨装置。
【請求項２】
前記テンプレートの前記研磨布を押圧する面における前記露出しているフィラーの表面占有率、または織布の表面占有率が５％以上８５％以下であることを特徴とする請求項１に記載のワークの研磨装置。
【請求項３】
前記凹部の深さが０．０５ｍｍ以上であることを特徴とする請求項１または請求項２に記載のワークの研磨装置。
【請求項４】
前記凹部の開口幅が５ｍｍ以下で、凹部間のピッチが１０ｍｍ以下であることを特徴とする請求項１乃至請求項３のいずれか１項に記載のワークの研磨装置。
【請求項５】
前記凹部と前記研磨布との接触角が９０°以下であることを特徴とする請求項１乃至請求項４のいずれか１項に記載のワークの研磨装置。
【発明の詳細な説明】
【技術分野】
【０００１】
本発明は、ワークの研磨装置に関する。
【背景技術】
【０００２】
シリコンウェーハ等の半導体ウェーハを製造する場合、重要な工程の一つにウェーハの表面粗さを改善するとともに、平坦度を高めるための研磨工程がある。
近年のデバイスの高精度化に伴い、デバイス作製に用いられる半導体ウェーハは非常に高精度に平坦化することが要求されている。このような要求に対し、半導体ウェーハの表面を平坦化する技術として、化学機械研磨（ＣＭＰ；Ｃｈｅｍｉｃａｌ  Ｍｅｃｈａｎｉｃａｌ  Ｐｏｌｉｓｈｉｎｇ）が用いられている。
【０００３】
シリコンウェーハ等のワーク表面を研磨する装置として、ワークを片面ずつ研磨する片面研磨装置と、両面同時に研磨する両面研磨装置とがある。
一般的な片面研磨装置は、例えば図７に示すように、研磨布１０７が貼り付けられた定盤１０４と、研磨剤供給機構１０８と、研磨ヘッド１０２等から構成されている。このような研磨装置１０１では、研磨ヘッド１０２でワークＷを保持し、研磨剤供給機構１０８から研磨布１０７上に研磨剤１０９を供給するとともに、定盤１０４と研磨ヘッド１０２をそれぞれ回転させてワークＷの表面を研磨布１０７に摺接させることにより研磨を行う。
【０００４】
ワークを保持する方法としては、平坦な円盤上のプレートにワックス等の接着剤を介してワークを貼り付ける方法、軟質のパッド（バッキング材）で水貼りする方法、真空吸着する方法などがある。
図７の研磨ヘッド１０２は、セラミックス等からなる円盤上の保持プレート１０６の下面にポリウレタン等の弾性パッド（バッキングパッド）１０５が貼り付けられており、この弾性パッド１０５に水分を吸収させてワークＷを表面張力により保持する。また、研磨中に保持プレート１０６からワークＷが外れるのを防ぐため、保持プレート１０６の周りにガイドリング１０３が設けられている。
【０００５】
この研磨装置１０１は、保持プレート１０６を介してワークＷを間接的に押圧しているので、保持プレート１０６の平坦度の精度、保持プレート１０６に加圧力が作用した際の変形による寸法変化、およびバッキングパッド１０５の厚さの精度等による影響を受け易く、ワークの全面を、非常に高い精度で研磨することは難しいという課題があった。また、ワークの外周部が多く研磨される傾向にあり、いわゆる外周のダレが発生し易く、ワークの全面について非常に高い精度の平坦度が要求される場合には対応できないという課題があった。
【０００６】
上記の課題に対して、特許文献１には、ワーク全面を研磨面へ均等に押圧することによってワーク全面を均一に研磨し、ワーク外周のダレを防止すると共に、ワーク表面の平坦度を向上できる研磨ヘッドとして、図８、図９に示した研磨ヘッドが提案されている。図８は研磨ヘッド全体の概略図である。図９は、従来の研磨ヘッドの一部の拡大図である。
この研磨ヘッド１１７は、保持部が下方に向けて開放する凹部を備えるヘッド部材１２０と、該ヘッド部材１２０の凹部内側に配された保持部材１２１と、外側部がヘッド部材１２０の壁部に固定されると共に、内側部が保持部材１２１に固定され、該保持部材１２１を上下方向及び水平方向への移動を微小範囲内で許容可能に吊持する弾性部材１１０と、ヘッド部材１２０の内部を保持部材１２１および弾性部材によって画成して設けられる第１圧力室１１１と、弾性のある薄膜からなり、保持部材１２１の外面側に外周部で固定され、外側面でワークＷに当接してワークＷを定盤の研磨面へ押圧可能に設けられた弾性薄膜１１２と、保持プレート１１６の外側面１１６ａおよび弾性薄膜内側面１１２ａによって画成される第２圧力室１１３を備え、第１圧力室１１１へは第１流体供給手段１２２によって所定圧力の流体が供給され、第２圧力室１１３へは第２流体供給手段１２３によって所定圧力の流体が供給される。
【０００７】
弾性薄膜１１２は、保持プレート１１６の外面側に、弾性薄膜外周部１１２ｂが、ボルト（不図示）の締め付けで固定リング１１５に挟まれることで固定されている。この弾性薄膜１１２は、その外側面でワークＷに当接して、エアバック作用でワークＷを定盤の研磨面へ均等に押圧できるように設けられている。また、弾性薄膜１１２の表面にワークＷが水等の液体の表面張力によって確実に貼着されている。
【０００８】
テンプレート１１４は環状円板であり、弾性薄膜１１２の外面側（下面）に装着され、ワークＷを囲うことが可能に形成されており、ワークＷの横滑りを防止する。テンプレート１１４の内周部は、ワークＷ外周部と連続して弾性薄膜１１２により同時に押圧され、テンプレート１１４の厚さは、ワークＷの厚さと同等に設定されており、これにより、ワークＷ外周部には、均一な荷重がかかり、ワークＷの外周のダレが発生することを抑制できる。
【先行技術文献】
【特許文献】
【０００９】
【特許文献１】特開平９−２９６１８号公報
【特許文献２】特開平１１−９０８２０号公報
【発明の概要】
【発明が解決しようとする課題】
【００１０】
しかし、特許文献１に記載された研磨ヘッド１１７を用いて研磨を行った場合でも、ワークの平坦度が悪化することがある。そこで本発明者等はこの原因について検討したところ以下のことが分かった。
テンプレート１１４の内周部が均等に押圧されることによって、テンプレート１１４と研磨布１０７の間の隙間が小さくなり、テンプレート１１４と研磨布１０７の間に研磨剤が供給されにくくなる。その結果、研磨布とワーク外周部の間に供給される研磨剤の量が不安定となり、研磨剤の砥粒濃度にばらつきが発生する。
【００１１】
さらに、本発明者等は、研磨剤の砥粒濃度と研磨後のワークの取り代ばらつきの関係を調査した。研磨ヘッドとしては、図８の研磨ヘッドを使用し、研磨するウェーハとして、３００ｍｍ鏡面シリコンウェーハを使用した。予め、ウェーハの断面厚み形状をＫＬＡ―Ｔｅｎｃｏｒ社製ＷａｆｅｒＳｉｇｈｔを用いて測定しておいた。テンプレートとしては、市販のガラス織布にエポキシ樹脂を含浸させた積層板を使用した。研磨剤には、市販のコロイダルシリカスラリーを使用した。砥粒として平均粒径３５ｎｍ〜７０ｎｍのコロイダルシリカを用い、これを純水で希釈し、ｐＨが１０．５になるように苛性カリを添加した。
【００１２】
研磨布には、市販の不織布タイプを使用し、研磨の際には、研磨ヘッドと研磨定盤は、各３０ｒｐｍで回転させた。ウェーハの研磨圧力(流体の圧力)は、１５０ｇ／ｃｍ２とした。研磨剤の希釈率を変えて、砥粒濃度を変化させて３枚のシリコンウェーハの研磨加工を行った。研磨後のウェーハを洗浄した後に、ＫＬＡ―Ｔｅｎｃｏｒ社製ＷａｆｅｒＳｉｇｈｔを用いて研磨前と同様に断面厚み形状を測定し、研磨前後で厚みの差分計算を行い、ウェーハ取り代を評価した。図４に示すように、砥粒濃度とウェーハ取り代には相関があり、砥粒が濃いほど、ウェーハ取り代はダレ側に変化することがわかった。
【００１３】
従って、ワークを研磨する際に、研磨布とワークの外周部の間に供給される研磨剤の砥粒濃度にばらつきが発生すると、この砥粒濃度のばらつきがワークの外周形状の不安定化を増長させ、ワークの平坦度が悪化するということが言える。
【００１４】
また、テンプレートと研磨布の間に研磨剤を十分に供給する対策として、テンプレートに外周端から内周端に貫通する溝、穴、もしくは凹設路等からなる流路を設けたことを特徴とするテンプレートが公知である（特許文献２参照）。このような対策をすると溝、穴の影響で研磨剤の粗密がワーク外周部に影響を与え、円周方向にうねり形状が発生し、ワークの平坦度を悪化させてしまうという問題がある。
【００１５】
研磨布側の対策として、研磨布の表面に溝をつけることが公知であるが、研磨加工後ワーク表面に溝に由来する微細な粗さが発生してしまうという問題がある。
【００１６】
また、テンプレートが研磨布表面のドレッシング体と兼用され、テンプレートの研磨布側の表面を、ドレッシング用の凹凸を有するドレッシング作用面とする特許もあるが、研磨加工中に研磨布の研磨作用面を粗くさせるような変化をさせると、削りカスが発生し、これにより、研磨中にウェーハ表面にキズが１０％を超える不良率で発生してしまい、実用的ではない。このドレッシング体の例としては、微細な凹凸であるエンボス、微細でなだらかな窪みのディンプル、ドレッシング作用面（環状面を含む）の中心部を中心とした放射線状の凹凸部などが形成されたもので、このような凹凸部分の大きさは、例えば５００μｍ程度である。
【００１７】
本発明は前述のような問題に鑑みてなされたもので、テンプレートと研磨布の間を介して、研磨布とワークの外周部の間に供給される研磨剤の量を安定させ、その研磨剤の砥粒濃度のばらつきを抑制し、その結果、ワーク外周部の研磨速度が安定し、高平坦にワークを研磨できるワークの研磨装置を提供することを目的とする。
【課題を解決するための手段】
【００１８】
上記目的を達成するために、本発明によれば、ワークを研磨するため研磨布と、研磨剤を供給するための研磨剤供給機構と、ワークを保持するための研磨ヘッドを具備し、該研磨ヘッドは前記ワークの裏面をバッキングパッドによって保持し、前記ワークのエッジ部を環状のテンプレートによって保持し、前記研磨布に前記ワークと前記テンプレートを押圧することで、前記ワークを前記研磨布に摺接させ、前記ワークを研磨するワークの研磨装置であって、前記テンプレートは、フィラーが添加された樹脂又は織布が含まれた樹脂から成り、前記研磨布を押圧する面に前記フィラー又は前記織布が露出していることにより、該押圧する面に微細な凹部を有するものであることを特徴とするワークの研磨装置を提供する。
【００１９】
このようなワークの研磨装置であれば、テンプレートの押圧面にある微細な凹部を介することで、テンプレートと研磨布の間を研磨剤が通り易くなり、研磨布とワークの外周部の間に供給される研磨剤の量を安定させ、ワーク表面と研磨布表面に均一な砥粒濃度で研磨剤が供給される。その結果、ワーク外周部の形状を平坦にすることができるため、高平坦なワークを得ることができる。また、テンプレートを、フィラーが添加された樹脂又は織布が含まれた樹脂とし、研磨布を押圧する面にフィラー又は織布を露出させたものであれば、微細で均一な凹部を簡単に形成することができるものとなる。しかも、この様な凹部は研磨布の削りカスを生じさせ、ウェーハにキズを生じさせることもない。
【００２０】
このとき、前記テンプレートの前記研磨布を押圧する面における前記露出しているフィラーの表面占有率、または織布の表面占有率が５％以上８５％以下であることが好ましい。
このように、フィラーまたは織布の表面占有率が５％以上であれば、より確実にテンプレートと研磨布の間を研磨剤が均一に通り易くなり、研磨剤の砥粒濃度のばらつきを抑制でき、その結果、より確実にワークの平坦度を高くできる。また、該表面占有率を８５％以下にすることで、確実にキズ不良率が低いワークを得ることができる。
【００２１】
またこのとき、前記凹部の深さが０．０５ｍｍ以上であることが好ましい。
このようなものであれば、テンプレートと研磨布の間を研磨剤がより確実に通り易くなり、研磨布とワークの間に供給される研磨剤の量がより安定し、研磨布とワーク外周部の間の研磨剤の砥粒濃度のばらつきをさらに抑制することができる。その結果、特にワーク外周部の研磨速度がより安定し、高平坦にワークを研磨できる。
【００２２】
さらに、前記凹部の開口幅が５ｍｍ以下で、凹部間のピッチが１０ｍｍ以下であることが好ましい。
このようなものであれば、ワークの円周方向に発生するうねりを抑制することができる。その結果、より平坦度が良好なワークを得ることができる。
【００２３】
このとき、前記凹部と前記研磨布との接触角が９０°以下であることが好ましい。
このようなものであれば、研磨布を傷つけることなくワークの研磨を行える。その結果、よりキズ不良率の低いワークを得ることができる。
【発明の効果】
【００２４】
本発明の研磨装置は、テンプレートが、フィラーが添加された樹脂又は織布が含まれた樹脂から成り、研磨布を押圧する面にフィラー又は織布が露出していることにより該押圧する面に微細な凹部を有するものであるので、テンプレートの凹部を介することで、テンプレートと研磨布の間を研磨剤が均一に通り易くなり、研磨布とワークの特に外周部の間に供給される研磨剤の量が安定し、ワーク外周部表面と研磨布表面に均一な砥粒濃度で研磨剤を供給できる。その結果、ワーク外周部の形状を平坦にすることができ、高平坦なワークを得ることができる。また、テンプレートを、フィラーが添加された樹脂又は織布が含まれた樹脂とし、研磨布を押圧する面にフィラー又は織布を露出させたものであるので、微細な凹部を簡単かつ均一に形成できるものとなるとともに、研磨されたワークにうねりやキズが発生し難いものとなる。
【図面の簡単な説明】
【００２５】
【図１】本発明に係る研磨装置の一例を示した概略図である。
【図２】本発明に係る研磨装置の研磨ヘッドのフィラーを添加したテンプレート周辺の一例を示した拡大図である。
【図３】本発明に係る研磨装置の研磨ヘッドの織布を含むテンプレート周辺の一例を示した拡大図である。
【図４】研磨剤の砥粒濃度と研磨後のワークの取り代ばらつきの関係を示した図である。
【図５】実施例１、２、比較例におけるテンプレートの研磨布に押圧する面側の凹部表面占有率とワークの表面平坦度の関係を示した図である。
【図６】実施例１、２、比較例におけるテンプレートの研磨布に押圧する面側の凹部表面占有率とワークの表面のキズ不良率の関係を示した図である。
【図７】従来の研磨装置の一例を示した概略図である。
【図８】従来の研磨装置の研磨ヘッドの一例を示した概略図である。
【図９】従来の研磨装置の研磨ヘッドの一部の拡大図である。
【発明を実施するための形態】
【００２６】
以下、本発明について実施の形態を説明するが、本発明はこれに限定されるものではない。
上記したように、ワークの研磨において、テンプレートの内周部が均等に押圧されることで、テンプレートと研磨布の間に研磨剤が供給されにくくなり、研磨布とワーク外周部の間に研磨剤が供給されにくくなることで、研磨布とワークの間の研磨剤の砥粒濃度にばらつきが発生し易くなる。その結果、砥粒濃度のばらつきが特にワークの外周形状の不安定化を増長させ、ワーク平坦度が悪化するという問題があった。
【００２７】
そこで、本発明者等はワークの研磨において、高平坦度のワークを得るために鋭意検討を重ねた。その結果、テンプレートに、フィラーが添加された樹脂又は織布が含まれた樹脂から成り、研磨布を押圧する面にフィラー又は織布が露出していることにより、該押圧する面に微細な凹部を有する研磨装置に想到した。このような装置では、研磨剤が凹部を介して、テンプレートと研磨布の間を均一に通り易くなり、研磨布とワークの外周部の間に供給される研磨剤の量が安定し、ワーク表面と研磨布表面に均一な砥粒濃度で研磨剤が供給される。その結果、特にワーク外周部の形状を平坦にすることができるため、高平坦なワークを得ることができることに想到し、本発明を完成させた。
【００２８】
以下、本発明のワークの研磨装置について図を参照して詳細に説明するが、本発明はこれらに限定されるものではない。
図１に示すように、本発明の研磨装置１はワークを研磨するための研磨布４と、研磨剤８を供給するための研磨剤供給機構７と、ワークＷを保持するための研磨ヘッド２から構成されている。研磨布４は定盤３に貼り付けられている。研磨ヘッド２は、ワークＷを裏面から保持するためのバッキングパッド５とワークＷのエッジ部を保持するための環状のテンプレート６を有している。
【００２９】
この研磨装置１ではワークＷの裏面をバッキングパッド５によって保持し、ワークＷのエッジ部をテンプレート６によって保持し、研磨剤供給機構７から研磨布４上に研磨剤８を供給するとともに、定盤３と研磨ヘッド２をそれぞれ回転させながら、研磨布４にワークＷとテンプレート６を押圧することで、ワークＷを研磨布４に摺接させ、ワークＷの研磨を行う。
【００３０】
図２、図３は、研磨ヘッドの周辺部９を拡大して示した概略図の一例である。図２に示すように、テンプレート６はフィラー１０が添加された樹脂から成り、研磨布４を押圧する面にフィラー１０が露出していることにより、該押圧する面に微細な凹部１２を有している。若しくは、図３に示すように、テンプレート６は織布１１が含まれた樹脂であり、研磨布４を押圧する面に織布１１が露出していることにより、該押圧する面に微細な凹部１２を有している。
【００３１】
研磨ヘッド２のその他部材は、特に限定されず、ワークの裏面とエッジ部を、それぞれバッキングパッドと上記凹部を有したテンプレートで保持できるものであれば、どのような構成としても良い。
【００３２】
このような研磨装置１であれば、テンプレート６の凹部１２を介することで、研磨剤８がテンプレート６と研磨布４の間を均一に通り易くなり、研磨布４とワークＷの外周部との間に供給される研磨剤８の量を安定させ、ワークＷ表面と研磨布４表面に均一な砥粒濃度で研磨剤８を供給できる。その結果、特にワークＷ外周部における研磨速度が周内で安定し外周部の形状を平坦にすることができるため、高平坦なワークＷを得ることができる。また、厚みを適正化したテンプレート６を、フィラー１０が添加された樹脂又は織布１１が含まれた樹脂とし、研磨布４を押圧する面にフィラー１０又は織布１１を露出させることにより、微細な凹部１２を簡単かつ均一に形成することができる。従って、微細な凹部１２を加工するための複雑な加工装置や加工方法も必要なくコストを低く抑えることができる。
【００３３】
このとき、テンプレート６の研磨布４を押圧する面における露出しているフィラー１０の表面占有率、または織布１１の表面占有率が５％以上８５％以下、より好ましくは８０％以下であることが好ましい。
このように、フィラー１０または織布１１の表面占有率が５％以上であれば、研磨布４とワークＷの外周部の間に供給される研磨剤８の量を安定させ、研磨布４とワークＷの外周部の間の研磨剤８の砥粒濃度のばらつきを抑制し、より確実にワークＷの平坦度を高くできる。また、該表面占有率を８５％以下にすることで、テンプレート６の研磨布４を押圧する面の摩耗を減らすことができ、削りカスの発生を抑えることができる。その結果、確実にキズ不良率が低いワークＷを得ることができる。
【００３４】
またこのとき、凹部１２の深さが０．０５ｍｍ以上であることが好ましい。
このようなものであれば、ワークの研磨中にテンプレート６の表面が共に研磨されても凹部１２をより長時間維持することができるため、テンプレートの寿命を向上できる。
【００３５】
さらに、凹部１２の開口幅が５ｍｍ以下で、凹部１２間のピッチが１０ｍｍ以下であることが好ましい。
このようなものであれば、研磨剤８の粗密がワーク外周部に与える影響を抑制でき、ワークＷの円周方向のうねりの発生を抑制することができる。その結果、より平坦度が良好なワークＷを得ることができる。
【００３６】
このとき、凹部１２と研磨布４との接触角が９０°以下であることが好ましい。
このようなものであれば、凹部１２によって研磨布４を傷つけることなくワークＷの研磨を行える。その結果、よりキズ不良率の低いワークＷを得ることができる。
【実施例】
【００３７】
以下、本発明の実施例及び比較例を示して本発明をより具体的に説明するが、本発明はこれらに限定されるものではない。
【００３８】
（実施例１）
本発明のワークの研磨装置を用いてワークの研磨を行い、研磨後のワークの平坦度とキズ不良率を評価した。
【００３９】
実施例１においては図１の研磨装置を用いた。この研磨装置に具備する研磨ヘッドは図２に示すものでテンプレート以外が図８の研磨ヘッドと同一のものを用いた。このときのテンプレートは、以下の方法で作製した。最大外形寸法が２ｍｍのガラス製フィラーを、濃度を調整して添加したビスフェノールＡ型エポキシ樹脂を準備し、これをスプレーで塗布したガラス繊維入りエポキシ樹脂製プリプレグを作製し、このプリプレグを研磨布に押圧する面側にして積層し、環状に加圧成形した。該テンプレートは厚さ７５０μｍで、研磨布を押圧する面における、露出しているフィラーの表面占有率が２５％であった。
【００４０】
また、研磨対象として、直径３００ｍｍシリコンウェーハを使用した。研磨剤は、純水で希釈し、ｐＨが１０．５になるように苛性カリを添加した市販のコロイダルシリカスラリーを使用した。このとき、コロイダルシリカの砥粒の平均粒径３５ｎｍ〜７０ｎｍであった。研磨布には、市販の不織布タイプを使用し、研磨の際には、研磨ヘッドと研磨定盤を、それぞれ３０ｒｐｍで回転させた。ウェーハの研磨圧力(流体の圧力)は、１５０ｇ／ｃｍ２とした。ウェーハの研磨終了後に、ウェーハを洗浄し、ＫＬＡ―Ｔｅｎｃｏｒ社製ＷａｆｅｒＳｉｇｈｔを用いてウェーハの平坦度測定を行い、ＳＦＱＲｍａｘを評価した。また、ＫＬＡ―Ｔｅｎｃｏｒ社製ＳＰ−１を用いて表面のキズ不良率を評価した。
【００４１】
（実施例２）
テンプレートが以下のように異なること以外、実施例１と同様な条件でワークの研磨を行い、研磨後のワークの平坦度とキズ不良率を評価した。このときのテンプレートは、以下の方法で作製した。ビスフェノールＡ型エポキシ樹脂を厚み０．１８ｍｍの平織の縦横ピッチ０．５ｍｍのガラス繊維クロスに含浸し、乾燥させて、表面用のプリプレグを作製した。このプリプレグを研磨布に押圧する面側にして積層し、厚さ７６０μｍの環状に加圧成形した。その後、研磨布に押圧する面側を研磨加工することで、ガラス繊維を網状に露出させた。該テンプレートは、研磨布を押圧する面における、露出しているガラス繊維クロスの表面占有率が１６％であった。
【００４２】
（比較例）
本発明のような凹部を有さない従来のテンプレートを用いた以外、実施例１と同様な条件でワークの研磨を行い、研磨後のワークの平坦度とキズ不良率を評価した。このときのテンプレートは、市販のガラス繊維入りエポキシ樹脂製円板を使用して作製した。該テンプレートは厚さ７５０μｍで研磨布を押圧する面にフィラー又はガラス繊維クロスが露出することによる凹部が存在しないもの、すなわち凹部の表面占有率は０％であった。
【００４３】
実施例１、実施例２を、凹部表面占有率を４０％、６０％、８０％、８５％に変えて、同様の手順で研磨を繰り返した。その結果を図５、図６に示す。図５はテンプレートの研磨布を押圧する面における凹部表面占有率とＳＦＱＲｍａｘの相関を示す図である。実施例１、２と比較例の平坦度を測定したところ、実施例１、２ではいずれもウェーハ外周形状については平坦から弱いダレ形状を示し、ＳＦＱＲｍａｘは良好であった。比較例では、ウェーハ外周部形状としては、ハネが強いウェーハが多く観察され、ＳＦＱＲｍａｘは悪化した。
また、図６はテンプレートの研磨布を押圧する面における凹部表面占有率とキズ不良率の相関を示す図である。実施例１、２と比較例のキズ不良率を測定したところ、凹部表面占有率が４０％、６０％、８０％であるとき、キズ不良がほとんど無いウェーハを得ることができた。また、凹部表面占有率が８５％であるとき、キズ不良率は若干上がったが、それでも従来の１０％を超えるキズ不良率よりも低く抑えることができた。
【００４４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００４５】
１…研磨装置、２…研磨ヘッド、３…定盤、
４…研磨布、５…バッキングパッド、６…テンプレート、
７…研磨剤供給機構、８…研磨剤、９…研磨ヘッド周辺部、
１０…フィラー、１１…織布、１２…凹部。
【図１】
2014223692.tif 000003
【図２】
2014223692.tif 000004
【図３】
2014223692.tif 000005
【図４】
2014223692.tif 000006
【図５】
2014223692.tif 000007
【図６】
2014223692.tif 000008
【図７】
2014223692.tif 000009
【図８】
2014223692.tif 000010
【図９】
2014223692.tif 000011